(57)【要約】 【課題】  収納した排泄物の臭気の漏れを防いで排泄物の処理が可能である簡易な排便装置を提供する。【解決手段】  排便装置１は、使用者Ｐが排便時に座す座部１１を有する本体１０と、該本体１０に着脱自在に装着される、排泄物を収納する密閉可能な排泄物収納容器２０と、該排泄物収納容器２０の容積を変える容積変更手段４０と、を備え、容積変更手段４０は、使用者Ｐが用便中は、排泄物収納容器２０に力を加えて変形させて容積を小さくしておき、使用者Ｐが用便を済ませて排泄物収納容器２０が密閉された後に力を除いて排泄物収納容器２０内に陰圧を発生させることにより、排泄物の臭気の拡散を防止する。【選択図】図１
2006326154.tif 000002
【特許請求の範囲】
【請求項１】
排泄物を収納する排便装置であって、
使用者が排便時に座す座部を有する本体と、該本体に着脱自在に装着される、排泄物を収納する密閉可能な排泄物収納容器と、該排泄物収納容器の容積を変える容積変更手段と、を備え、
前記容積変更手段は、使用者が用便中は、前記排泄物収納容器に力を加えて変形させて容積を小さくしておき、使用者が用便を済ませて前記排泄物収納容器が密閉された後に前記加えた力を除いて前記排泄物収納容器内に陰圧を発生させることにより、排泄物の臭気の拡散を防止した排便装置。
【請求項２】
排泄物を収納する排便装置であって、
使用者が排便時に座す座部を有する本体と、排泄物を取り込む開閉可能な取込口を有した、可撓性のある排泄物収納容器と、該排泄物収納容器の容積を変える容積変更手段と、を備え、
前記座部には前記排泄物収納容器を装着するための装着部が形成され、
前記容積変更手段は、前記本体に配設され、
前記排泄物収納容器は、前記排泄物収納容器の取込口を開閉させる開閉手段を有し、前記取込口側を前記座部の装着部に着脱自在に装着され、
前記容積変更手段は、前記取込口が開いているときは前記排泄物収納容器に力を加えて変形させて容積を小さくしておき、使用者が用便を済ませて前記取込口が閉じられた後に前記加えた力を除いて前記排泄物収納容器内に陰圧を発生させることにより、排泄物の臭気の拡散を防止する排便装置。
【請求項３】
前記容積変更手段は、前記排泄物収納容器の前記取込口から底部までの中間部分を絞ることによって前記排泄物収納容器の容積を小さくすることを特徴とする請求項２に記載の排便装置。
【請求項４】
前記容積変更手段は、前記排泄物収納容器の中間部分を両側から挟むことによって絞ることを特徴とする請求項３に記載の排便装置。
【請求項５】
前記開閉手段は、前記排泄物収納容器内に収納され、前記取込口の内側下部で該取込口を開放する開位置から閉じる閉位置までの間を変位可能に収納された開閉蓋を有し、前記取込口の内側下部を絞ることによって前記開位置に在る前記開閉蓋を前記閉位置に移動させて前記排泄物収納容器を密閉することを特徴とする請求項２，３または４に記載の排便装置。
【請求項６】
前記取込口の内側下部は、少なくとも一部に前記取込口の内径の少なくとも３倍の径を有する拡径部を有し、該拡径部に前記開閉蓋を収納したことを特徴とする請求項５に記載の排便装置。
【請求項７】
前記本体は、前記座部に固定された脚部と、前記座部の下方に前記排泄物収納容器を保持する保持手段と、前記容積変更手段と、を備えた、移動可能な組立体であることを特徴とする請求項１，２，３，４，５または６に記載の排便装置。
【発明の詳細な説明】
【技術分野】
【０００１】
本発明は、排泄物を収納する排便装置に関し、特に収納した排泄物の臭気の拡散を防止した簡易な排便装置に関する。
【背景技術】
【０００２】
従来の簡易な排便装置において、排泄物の臭気の拡散を防止するものとしては、例えば特許文献１に示すようなトイレ装置や特許文献２に示すようなポータブル便器などがある。  
すなわち、特許文献１に示すトイレ装置は、排気装置を備えたポータブル便器を室内換気扇に連結して便器内部を排気することにより、排泄物の臭気の拡散を防止しようとするものである。
【０００３】
また、特許文献２に示すポータブル便器は、排泄物を溜めておくポットを収納し、ポット支持部の上方開口部を開閉するシャッターを摺動自在に設けてあり、該シャッターによって上方開口部を塞いで排出物の臭気の拡散を防止しようとするものである。
【０００４】
【特許文献１】特開２００１−２０７５０５号公報
【特許文献２】特開２０００−２５４０３８号公報
【発明の開示】
【発明が解決しようとする課題】
【０００５】
しかしながら、特許文献１に示したような便器内の排気によって排泄物の臭気の拡散を防止する技術では、排気装置が必要となるので、装置が高価になるという問題点があった。また、設置場所が限定されることがあるという問題点があった。
【０００６】
一方、特許文献２に示したような便器にシャッターを設けて、ポットと便器外部とを遮断する技術では、ポット内の排泄物を処理するためにポットを便器の外部に出したときに臭気が漏れてしまうという問題点があった。
【０００７】
本発明は、このような従来の技術が有する問題点に着目してなされたもので、収納した排泄物の臭気の漏れを防いで排泄物の処理が可能である簡易な排便装置を提供することを目的としている。
【課題を解決するための手段】
【０００８】
かかる目的を達成するための本発明の要旨とするところは、次の各項の発明に存する。
［１］  排泄物を収納する排便装置（１）であって、
使用者（Ｐ）が排便時に座す座部（１１）を有する本体（１０）と、該本体（１０）に着脱自在に装着される、排泄物を収納する密閉可能な排泄物収納容器（２０，２０Ａ）と、該排泄物収納容器（２０，２０Ａ）の容積を変える容積変更手段（４０）と、を備え、
前記容積変更手段（４０）は、使用者（Ｐ）が用便中は、前記排泄物収納容器（２０，２０Ａ）に力を加えて変形させて容積を小さくしておき、使用者（Ｐ）が用便を済ませて前記排泄物収納容器（２０，２０Ａ）が密閉された後に前記加えた力を除いて前記排泄物収納容器（２０，２０Ａ）内に陰圧を発生させることにより、排泄物の臭気の拡散を防止した排便装置（１）。
【０００９】
［２］  排泄物を収納する排便装置（１）であって、
使用者（Ｐ）が排便時に座す座部（１１）を有する本体（１０）と、排泄物を取り込む開閉可能な取込口（２１）を有した、可撓性のある排泄物収納容器（２０，２０Ａ）と、該排泄物収納容器（２０，２０Ａ）の容積を変える容積変更手段（４０）と、を備え、
前記座部（１１）には前記排泄物収納容器（２０，２０Ａ）を装着するための装着部（１２）が形成され、
前記容積変更手段（４０）は、前記本体（１０）に配設され、
前記排泄物収納容器（２０，２０Ａ）は、前記排泄物収納容器（２０，２０Ａ）の取込口（２１）を開閉させる開閉手段（２６，２７，２９；１２６，１２７）を有し、前記取込口（２１）側を前記座部（１１）の装着部（１２）に着脱自在に装着され、
前記容積変更手段（４０）は、前記取込口（２１）が開いているときは前記排泄物収納容器（２０，２０Ａ）に力を加えて変形させて容積を小さくしておき、使用者（Ｐ）が用便を済ませて前記取込口（２１）が閉じられた後に前記加えた力を除いて前記排泄物収納容器（２０，２０Ａ）内に陰圧を発生させることにより、排泄物の臭気の拡散を防止する排便装置（１）。
【００１０】
［３］  前記容積変更手段（４０）は、前記排泄物収納容器（２０，２０Ａ）の前記取込口（２１）から底部までの中間部分を絞ることによって前記排泄物収納容器（２０，２０Ａ）の容積を小さくすることを特徴とする［２］に記載の排便装置（１）。
【００１１】
［４］  前記容積変更手段（４０）は、前記排泄物収納容器（２０，２０Ａ）の中間部分を両側から挟むことによって絞ることを特徴とする［３］に記載の排便装置（１）。
【００１２】
［５］  前記開閉手段（２６，２７，２９；１２６，１２７）は、前記排泄物収納容器（２０，２０Ａ）内に収納され、前記取込口（２１）の内側下部で該取込口（２１）を開放する開位置から閉じる閉位置までの間を変位可能に収納された開閉蓋（２５）を有し、前記取込口（２１）の内側下部を絞ることによって前記開位置に在る前記開閉蓋（２５）を前記閉位置に移動させて前記排泄物収納容器（２０，２０Ａ）を密閉することを特徴とする［２］，［３］または［４］に記載の排便装置（１）。
【００１３】
［６］  前記取込口（２１）の内側下部は、少なくとも一部に前記取込口（２１）の内径の少なくとも３倍の径を有する拡径部（２４，１２４）を有し、該拡径部（２４，１２４）に前記開閉蓋（２５）を収納したことを特徴とする［５］に記載の排便装置（１）。
【００１４】
［７］  前記本体（１０）は、前記座部（１１）に固定された脚部（１３）と、前記座部（１１）の下方に前記排泄物収納容器（２０，２０Ａ）を保持する保持手段（３０）と、前記容積変更手段（４０）と、を備えた、移動可能な組立体であることを特徴とする［１］，［２］，［３］，［４］，［５］または［６］に記載の排便装置（１）。
【００１５】
前記本発明は次のように作用する。  
［１］の排便装置（１）は、排泄物を収納する排泄物収納容器（２０，２０Ａ）を本体（１０）に着脱自在に装着することができる。排便装置（１）を使用する際には、密閉可能な排泄物収納容器（２０，２０Ａ）を本体（１０）の所定位置に装着し、排泄物収納容器（２０，２０Ａ）に側方から力を加えて潰すように変形して容積を小さくしておく。
【００１６】
この状態で使用者（Ｐ）が用便を済ませた後は、排泄物が収納された排泄物収納容器（２０，２０Ａ）を密閉し、その後に排泄物収納容器（２０，２０Ａ）を変形していた容積変更手段（４０）を排泄物収納容器（２０，２０Ａ）から離す。排泄物収納容器（２０，２０Ａ）は、容積変更手段（４０）から加えられていた力が除かれるので、密閉された状態のままで元の形状に戻ろうとする。
【００１７】
これにより、排泄物収納容器（２０，２０Ａ）の内部には陰圧が発生するので、収納した排泄物の臭気が漏れて拡散することを防止できる。このように密閉された排泄物収納容器（２０，２０Ａ）を本体（１０）から外すことにより、収納した排泄物の処理をすることができる。
【００１８】
［２］の排便装置（１）は、使用の前に排泄物収納容器（２０，２０Ａ）の取込口（２１）を座部（１１）の装着部（１２）に合わせて本体（１０）に装着しておく。排泄物収納容器（２０，２０Ａ）は、取込口（２１）を開閉させるための開閉手段（２６，２７，２９；１２６，１２７）を有しているので、本体（１０）に装着しても排泄物を収納していない間は取込口（２１）を開けておけばよい。さらに、［１］の排便装置（１）と同様に、排泄物収納容器（２０，２０Ａ）の容積は小さくしておく。排泄物収納容器（２０，２０Ａ）は、可撓性のある容器であるので、本体（１０）側に配設した容積変更手段（４０）によって力を加えることにより、容易に変形させて容積を小さくしておくことができる。
【００１９】
使用者（Ｐ）の用便が済んで排泄物が排泄物収納容器（２０，２０Ａ）に収納された後は、開閉手段（２６，２７，２９；１２６，１２７）によって取込口（２１）を閉じて排泄物収納容器（２０，２０Ａ）を密閉する。容積変更手段（４０）が排泄物収納容器（２０，２０Ａ）に加えていた力を除くと、［１］の排便装置（１）と同様に排泄物収納容器（２０，２０Ａ）の内部には陰圧が発生するので、収納した排泄物の臭気が漏れて拡散することを防止できる。
【００２０】
排泄物を収納した排泄物収納容器（２０，２０Ａ）は、密閉したままで本体（１０）から外すことができる。本体（１０）から外した排泄物収納容器（２０，２０Ａ）は、例えば常設トイレに運んでから取込口（２１）を開けて水洗便器に排泄物を流すなどして、収納した排泄物を処理することができる。排泄物収納容器（２０，２０Ａ）は中を洗浄してから廃棄してもよいし、洗浄した後に再度、使用することもできる。
【００２１】
再度の使用の際には排泄物収納容器（２０，２０Ａ）内に排泄物の臭気が残存していることが有り得るので、本体（１０）に再度の装着をした後は、取込口（２１）を開閉手段（２６，２７，２９；１２６，１２７）によって閉じておき、用便のときにのみ取込口（２１）を開けるようにすることができる。これにより、排泄物収納容器（２０，２０Ａ）内に排泄物の臭気が残存している場合であっても、臭気の拡散量を用便中のみの最少量に抑えることができる。実際には、残存した臭気の強さは用便中の排泄物からの臭気よりも弱いので、初回の使用時と同様の使用感を得ることができる。
【００２２】
［３］の排便装置（１）のように、容積変更手段（４０）は、排泄物収納容器（２０，２０Ａ）の取込口（２１）から底部までの中間部分を絞ることによって排泄物収納容器（２０，２０Ａ）の容積を小さくするものでもよい。例えば、［４］の排便装置（１）のように、本体（１０）に装着した排泄物収納容器（２０，２０Ａ）の中間部分を両側から挟むことによって絞ればよい。排泄物収納容器（２０，２０Ａ）を絞る部材としては、例えば、本体（１０）に装着した排泄物収納容器（２０，２０Ａ）の両側に１本ずつスライド可能に配置した棒状部材でよく、この棒状部材をそれぞれスライドさせて排泄物収納容器（２０，２０Ａ）を両側から潰すようにして絞るようにしてもよい。このように容積変更手段（４０）は、極めて簡易な構造のものでよく、排便装置（１）の構成を極めて簡易にすることができる。
【００２３】
［５］の排便装置（１）では、開閉蓋（２５）は排泄物収納容器（２０，２０Ａ）内で取込口（２１）の内側下部に収納されている。この開閉蓋（２５）は、取込口（２１）を開放する開位置から閉じる閉位置までの間を移動させることができる。この開閉蓋（２５）は、開閉蓋（２５）が収納されている取込口（２１）の内側下部を排泄物収納容器（２０，２０Ａ）の外側から絞ることによって排泄物収納容器（２０，２０Ａ）の変形とともに移動させることができる。この開閉蓋（２５）を閉位置に移動させてから、排泄物収納容器（２０，２０Ａ）内に陰圧を生じさせることによって開閉蓋（２５）は閉位置で吸引されて固定される。これにより、排泄物収納容器（２０，２０Ａ）を密閉することができる。
【００２４】
開閉蓋（２５）は、排泄物収納容器（２０，２０Ａ）内に収納されているために脱落することがなく、紛失することがないので、排泄物収納容器（２０，２０Ａ）の耐用年数が来るまで再使用を続けることができる。
【００２５】
［６］の排便装置（１）では、開閉蓋（２５）が取込口（２１）の内側下部の少なくとも一部に形成した拡径部（２４，１２４）に収納されている。この拡径部（２４，１２４）は、取込口（２１）の内径の少なくとも３倍の径を有するので、開閉蓋（２５）の一部が取込口（２１）に被ることなく開閉蓋（２５）を収納することができる。なお、取込口（２１）を開くために開閉蓋（２５）を収納する収納部分は、開閉蓋（２５）を取込口（２１）に被らない開位置に収納でき、取込口（２１）を閉じるときに取込口（２１）を塞ぐ閉じ位置に移動できればよく、形成する場所や形状は限られない。
【００２６】
［７］の排便装置（１）では、使用者（Ｐ）が座す座部（１１）に脚部（１３）が固定されており、使用者（Ｐ）は床面から所定の高さに座すことができる。排便装置（１）は、本体（１０）の座部（１１）と床面との間に排泄物収納容器（２０，２０Ａ）を保持する保持手段（３０）と、排泄物収納容器（２０，２０Ａ）の容積を小さくするための容積変更手段（４０）とを備えた組立体であるので、軽量であり、どこへでも運んで使用することができる。
【発明の効果】
【００２７】
本発明にかかる［１］に記載の排便装置によれば、容積変更手段によって排泄物収納容器に力を加えて容積を小さくした状態で排泄物を収納し、排泄物を収納後には排泄物収納容器内に陰圧を発生させた状態で容器を密閉できるので、収納した排泄物の臭気が漏れて拡散することを防止でき、密閉したままで排泄物収納容器を本体から外して排泄物の処理をすることができる。また、使用者が着座するための座部を備えた本体に着脱自在に装着した密閉可能な排泄物収納容器と、この排泄物収納容器に陰圧を発生させるための容積変更手段と、を備えればよく、水を必要としないので、簡易に構成することができる。
【００２８】
本発明にかかる［２］に記載の排便装置によれば、用便の際には、座部の装着部に装着した排泄物収納容器の取込口を開閉手段によって開き、用便が済んで排泄物が排泄物収納容器に収納された後は取込口を閉じて排泄物収納容器を密閉することができる。この間、用便が済むまでは容積変更手段によって排泄物収納容器に力を加えて容積を小さくしておき、用便が済んで排泄物収納容器を密閉した後に加えている力を除くことによって排泄物収納容器の内部に陰圧を生じさせることができ、これにより、より確実に密閉して、収納した排泄物の臭気の漏れを防止でき、さらに、密閉したままで排泄物収納容器を本体から外して排泄物の処理をすることができる。また、［１］に記載の排便装置と同様に簡易に構成することができる。
【００２９】
［３］に記載の排便装置によれば、排泄物収納容器には可撓性があるので、容積変更手段は、排泄物収納容器の中間部分を絞るだけで容易に容積を小さくでき、装置全体を簡易な構成にすることができる。
【００３０】
［４］に記載の排便装置によれば、容積変更手段は、排泄物収納容器の中間部分を両側から挟むことによって排泄物収納容器を絞るので、構成が極めて簡易となる。
【００３１】
［５］に記載の排便装置によれば、排泄物収納容器を密閉するための開閉蓋が取込口の内側下部、即ち排泄物収納容器内部に収納されているので、排泄物を収納した排泄物収納容器を密閉したままで排便装置から取り外すことができる。このため、排便装置から外した後も、排泄物収納容器から排泄物の臭気が漏れて拡散することはない。
【００３２】
［６］に記載の排便装置によれば、開閉蓋は、取込口の内側下部に形成した拡径部に収納してあるので、開閉蓋が排泄物収納容器から外れて落ちてしまうことがなく、確実に取込口の開閉をすることができる。
【００３３】
［７］に記載の排便装置によれば、本体は、使用者が座す座部に脚部を固定し、座部の下方に排泄物収納容器を保持する保持手段と、容積変更手段と、を備えた組立体であるので、構造が簡易であるとともに、移動可能なほどの軽量化を容易にすることができる。
【発明を実施するための最良の形態】
【００３４】
以下、図面に基づき本発明の各種の実施の形態を説明する。  
図１から図９までは本発明の第１の実施の形態を示している。  
背面図である図１に示すように、排便装置１は排泄物を収納する組立体であり、容易に運搬して使用場所を移動させることができる。排便装置１は、使用者Ｐが排便時に座す本体１０と、排泄物を収納する密閉可能な排泄物収納容器２０と、から成っている。排泄物収納容器２０は、本体１０に着脱自在に装着することができる。
【００３５】
本体１０は、使用者Ｐが直接に座する板状の座部１１を有しており、この座部１１には、排泄物収納容器２０を装着するための装着部１２が形成されている。この装着部１２は、着座面１１ａ側から裏面１１ｂ側に向かって凹み部分が形成されている。座部１１の外部からこの凹み部分のほぼ中央にいたるまで貫通溝１２ａが形成されている（図５参照）。
【００３６】
座部１１の下面には脚部１３が固定されており、座部１１は、床面から所定の高さに配置されている。本体１０の正面側には左右の脚部１３，１３を繋ぐ正面板１３ａが取り付けられている。さらに、側面には正面板１３ａのような側面板が取り付けられている。また、背面側には正面板１３ａのような板が取り付けられていないので、排泄物収納容器２０は背面側から座部１１の下方に入れて本体１０に装着できる。
【００３７】
なお、背面側も正面板１３ａのような背面板で隠し、両側面の一方または両方は板で隠さずに排泄物収納容器２０を側面側から座部１１の下方に入れて本体１０に装着するようにしてもよい。この際、側面には、後述する保持板３１とバー４６とを固定する部分を残しておく。
【００３８】
排泄物収納容器２０は、縦長の瓶状に形成された可撓性を有する容器である。材質は、排泄物収納容器２０として製造したときに内部を密閉可能であり、外力によって比較的容易に変形可能であるとともに外力を除いたときに元の形状に戻るような合成樹脂等であればどのようなものでもよい。この排泄物収納容器２０の上端には排泄物を取り込むための取込口２１を有している（図５参照）。
取込口２１から下の部分には座部１１の装着部１２に装着するとともに装着状態で使用者Ｐの肛門周辺部を受けるための肛門受部２２を有している。この肛門受部２２は、外径が装着部１２の貫通溝１２ａの幅よりも大きい大径部分２２ａを複数形成してなる。
【００３９】
肛門受部２２の下には外径が貫通溝１２ａの幅よりも小さい首部分２３が形成されている。この首部分２３を貫通溝１２ａに通すことによって肛門受部２２が貫通溝１２ａに引っ掛かって排泄物収納容器２０を装着部１２に吊り下げるように装着することができる。
【００４０】
肛門受部２２の高さは装着部１２の凹み部分の深さよりも大きい。したがって、排泄物収納容器２０を装着部１２に装置した状態では取込口２１が座部１１の着座面１１ａよりも上に出るが、上記のように排泄物収納容器２０は可撓性が有るので、大径部分２２ａがクッションのように働く。これにより、使用者Ｐが用便のために着座するときには、取込口２１が肛門の下に位置するように座ることにより、大径部分２２ａを肛門周辺部にフィットさせることができる。
【００４１】
取込口２１から首部分２３までの内径はほぼ同一であるが、排泄物収納容器２０を装着部１２に装着した状態で座部１１よりも下に位置する首部分２３には、該首部分２３の内径よりも少なくとも３倍の大きさの内径を有する拡径部２４が形成されている。この拡径部２４には、移動可能な開閉蓋２５が収納されている。開閉蓋２５は、例えば円板状に形成されたものであり、取込口２１内を完全に開放する開位置から取込口２１内を完全に閉じる閉位置までの間を移動させることができる。
【００４２】
図４および図５は、開閉蓋２５が拡径部２４内の開位置に在るときの状態を示しており、図６および図７は、開閉蓋２５が閉位置に在って取込口２１内を完全に閉じた状態を示している。図８および図９は、開閉蓋２５を開位置と閉位置との間で移動させるための第１バンド２６および第２バンド２７を示している。第１バンド２６および第２バンド２７は、どちらも可撓性のある合成樹脂を素材にして作られている。
【００４３】
図４から図７に示すように、第１バンド２６は拡径部２４の外側に掛けられており、両端部が接続されている。また、拡径部２４を間にして第１バンド２６とは反対側からは第２バンド２７が拡径部２４の外側に掛けられており、両端部が接続されている。拡径部２４は、第２バンド２７の掛けられた側の内部に開閉蓋２５が収納されている。
【００４４】
第１バンド２６は、幅が一定のバンドであり、中央部分２６ａを境にして両端部に向かって延びる長孔２６ｂ，２６ｂが形成されている。一方、第２バンド２７は、中央部分２７ａが第１バンド２６とほぼ同じ幅であり、中央部分２７ａから両端部に向かって幅の狭い狭幅部分２７ｂ，２７ｂを有している。狭幅部分２７ｂの幅は、第１バンド２６の長孔２６ｂの幅よりも僅かに狭くなっている。この狭幅部分２７ｂは、第２バンド２７を拡径部２４の周縁に掛けて両端部を接続したときに、中央部分２７ａが拡径部２４の外側から内部の開閉蓋２５に当たる位置に位置する。狭幅部分２７ｂ，２７ｂは、第１バンド２６の長孔２６ｂ，２６ｂに通されている。
【００４５】
図４に示したように、開閉蓋２５が拡径部２４内の開位置に在るときの状態から第１バンド２６の一部を拡径部２４から遠ざかる方向（矢印Ａ方向）に引くとともに第２バンド２７の一部も拡径部２４から遠ざかる方向（矢印Ｂ方向）に引くと、拡径部２４が絞られる。これにより、拡径部２４内の開位置に位置した開閉蓋２５は第２バンド２７に押されて取込口２１に向かって（矢印Ｂ方向に）移動する。
【００４６】
第１バンド２６および第２バンド２７を引き続けるにしたがって、開閉蓋２５は矢印Ｂ方向に交差する方向への移動可能な範囲が狭められる。第１バンド２６および第２バンド２７を引ききると、開閉蓋２５は、閉位置に固定されて取込口２１が密閉される。後述するように、この密閉された状態では排泄物収納容器２０の内部に陰圧が発生しているので、開閉蓋２５は吸着されており、第１バンド２６および第２バンド２７を緩めても密閉状態は保持される。
【００４７】
上記のように第１バンド２６と第２バンド２７を引く手段としては、例えば、装着部１２に装着した排泄物収納容器２０を間において排泄物収納容器２０の両側を座部１１の下方でスライド可能なピン２９，２９を設けておき、このピン２９，２９に第１バンド２６と第２バンド２７を掛けるようにすればよい。
【００４８】
装着部１２に装着した排泄物収納容器２０の首部分２３よりも下方の胴体部分を保持する保持手段３０が座部１１の下方に配設されている。保持手段３０は、側面板に固定され、座部１１と平行に配設された保持板３１と、該保持板３１上面（または下面でもよい）をスライドして排泄物収納容器２０を両側から挟んで位置を固定する２枚の固定板３２とから成る。
【００４９】
保持板３１には、本体１０の背面側から中心部を越えたところまで切り欠かれたガイド溝３３が形成されている。このガイド溝３３は、排泄物収納容器２０を装着部１２に装着するときに排泄物収納容器２０を案内するとともに装着位置の位置決めをする役目を果たす。
【００５０】
固定板３２は、排泄物収納容器２０を挟むようにして固定する狭持位置と、ガイド溝３３内から離れた離隔位置との間をスライド可能である。固定板３２は、狭持位置に在って排泄物収納容器２０に接触する部分が排泄物収納容器２０の輪郭に合った形状に形成されている。装着部１２に装着した排泄物収納容器２０を固定板３２，３２によって挟むことにより、排泄物収納容器２０は装着位置に固定される。
【００５１】
保持手段３０の下方には、排泄物収納容器２０に力を加えて変形させて容積を小さくしておくための容積変更手段４０が配設されている。容積変更手段４０は、本体１０に装着された排泄物収納容器２０の取込口２１から底部までの胴体部分の中間部分を両側から挟むようにして排泄物収納容器２０に力を加えて絞るローラ４１，４１と、該ローラ４１，４１を移動させるためのラック・アンド・ピニオンを備えている。
【００５２】
ローラ４１は、軸４２に空転可能に取り付けられている。軸４２の一端部は正面側の正面板１３ａから突き出している。この一端部にはダイヤル４４が固定されている。また、軸４２には、正面板１３ａとローラ４１との間にラック・アンド・ピニオンを構成する歯車４５が固定されている。
【００５３】
歯車４５の下には、両側面側の側面板に両端を固定されたバー４６が配設されている。このバー４６は、上面にラック４７を有しており、歯車４５が噛み合っている。正面板１３ａには、軸４２の移動を案内するガイド孔（図示せず）が形成されている。これにより、ダイヤル４４を回転させると、その回転方向に応じて軸４２とともにローラ４１が排泄物収納容器２０に近付く方向または遠ざかる方向に移動する。
【００５４】
このローラ４１の動きに連動して、排泄物収納容器２０を間にして反対側に配置されたもう一方のローラ４１が反対方向に移動する。すなわち、２つのローラ４１，４１は、ダイヤル４４の回転方向に応じて互いに近付く方向と遠ざかる方向とに移動する。２つのローラ４１，４１は、不図示のラックおよび歯車によって連動している。２つのローラ４１，４１がダイヤル４４の操作によって移動可能な範囲は、ラック４７の長さやガイド孔の位置などによって設定できる。この可動範囲のうち最も接近したときの位置は、図１に示すように排泄物収納容器２０の胴体部分の中間部分を挟むようにして絞る位置であり、最も離れた位置は、ローラ４１，４１がともに排泄物収納容器２０から離れた位置である。
【００５５】
次に第１の実施の形態の作用を説明する。  
使用者Ｐがこの排便装置１を使用する際には、排泄物収納容器２０を本体１０の背面側から入れて本体１０に装着する。この際、排泄物収納容器２０の首部分２３を座部１１の貫通溝１２ａに通すとともに胴体部分を保持手段３０のガイド溝３３に沿うようにしてガイド溝３３の奥（本体１０の正面側）に向かって入れる。
【００５６】
排泄物収納容器２０がガイド溝３３の奥に突き当たった位置で排泄物収納容器２０の両側から固定板３２をスライドさせて排泄物収納容器２０の位置を固定する。これにより、排泄物収納容器２０の肛門受部２２は座部１１の装着部１２に不動に装着される。拡径部２４に掛けた第１バンド２６および第２バンド２７は、それぞれピン２９に掛ける。なお、排泄物収納容器２０の開閉蓋２５は開位置にあるので、排泄物収納容器２０の内部は開放されている。
【００５７】
排泄物収納容器２０を本体１０に装着した後に、ダイヤル４４を回転操作することによってローラ４１を移動させる。ダイヤル４４を回しきると、排泄物収納容器２０の胴体部分の中間部分が両側のローラ４１によって潰されるように絞られて、排泄物収納容器２０の容積が小さくなる。これにより、使用者Ｐが排便可能な状態になる。
【００５８】
使用者Ｐが用便のために座部１１に座すときは、肛門が取込口２１の上に位置するように座ればよい。肛門受部２２の上端部は着座面１１ａよりも高い位置にあるが、使用者Ｐが前記のような位置に座することによってクッションのように働いて使用者Ｐの肛門周辺部にフィットする。
【００５９】
この状態で使用者Ｐが用便を済ませた後は、２つのピン２９を相反する方向（矢印Ａ方向、矢印Ｂ方向）にスライドさせて開閉蓋２５を開位置から閉位置に移動させる。この後、ダイヤル４４を回転操作してローラ４１，４１を排泄物収納容器２０から離れる位置に移動させる。ローラ４１が移動するにしたがって排泄物収納容器２０の形状は、絞られた形状から復元していくが、取込口２１が開閉蓋２５によって塞がれているので、取込口２１から排泄物収納容器２０内部への空気の流入がない。このため、排泄物収納容器２０の形状は完全には復元されず、排泄物収納容器２０内部に陰圧が発生し、この状態が維持される。この陰圧によって開閉蓋２５は吸着されるので、開閉蓋２５による密閉度はさらに上がり、第１バンド２６および第２バンド２７を緩めても排泄物収納容器２０の密閉状態が保たれる。これにより、排泄物収納容器２０内部に収納された排泄物の臭気が排泄物収納容器２０から漏れて外部環境に拡散することを防止できる。
【００６０】
密閉状態が保たれたままの排泄物収納容器２０は、上記の装着手順とは逆の手順によって本体１０から外すことができる。本体１０から外した排泄物収納容器２０は、例えば常設トイレに運んでから取込口２１を開けて水洗便器に排泄物を流すなどして、収納した排泄物を処理することができる。排泄物の処理をした排泄物収納容器２０は、内部を洗浄してから廃棄してもよいし、再度、使用することもできる。
【００６１】
排泄物収納容器２０を再使用する際には、内部に排泄物の臭気が残存していることが有り得るので、本体１０に再度の装着をした後は、取込口２１を閉じておき、用便のときにのみ取込口２１を開けるようにしてもよい。これにより、内部に排泄物の臭気が残存している場合であっても、残存臭気の拡散量を用便中のみの最少量に抑えることができる。しかしながら、残存臭気の強さは用便中の排泄物からの臭気よりも弱いので、実際には、残存臭の影響は殆どなく、初回の使用時と同様の使用感を得ることができる。
【００６２】
なお、取込口２１を開けるには、開位置で吸着されている開閉蓋２５の周縁部を拡径部２４の外側から指で摘むようにして開位置まで押し出すようにするか、あるいは、手を使って拡径部２４の近傍部分を歪めるかして排泄物収納容器２０と開閉蓋２５との間に間隙をつくればよい。このようにして間隙ができると内部の陰圧によって外気が排泄物収納容器２０内に流入するので、もはや開閉蓋２５は吸着されず、容易かつ完全に取込口２１を開放することができる。
【００６３】
開閉蓋２５は、排泄物収納容器２０内に収納されているために脱落することがなく、紛失することがないので、排泄物収納容器２０の耐用年数が来るまで再使用を続けることができる。
【００６４】
なお、取込口２１を開くために開閉蓋２５を収納する収納部分は、開閉蓋２５を開位置に収納でき、取込口２１を閉じるときに閉位置に移動できればよいので、図示したような形状の拡径部２４に限られない。
【００６５】
また、排便装置１は、本体１０の座部１１と床面との間に排泄物収納容器２０を保持する保持手段３０と、排泄物収納容器２０の容積を小さくするための容積変更手段４０とを備えた簡易な組立体であり、保持手段３０や容積変更手段４０を手動で動作させることができ、電動モーターなどを備えることなく軽量であるので、どこへでも運んで使用することができる。
【００６６】
なお、保持手段３０や容積変更手段４０を手動で動作させることには限定されず、電動で保持手段３０や容積変更手段４０を動作させるようにしてもよい。
【００６７】
図１０から図１３までは本発明の第２の実施の形態を示している。  
本実施の形態では、排泄物収納容器の肛門受部をジャバラ状にした点と、このジャバラ状の肛門受部内に開閉蓋を収納した点と、開閉蓋を開位置と閉位置との間で移動させる手段とが第１の実施の形態と異なる。
【００６８】
なお、第１の実施の形態と同種の部位には同一符号を付し重複した説明を省略する。
【００６９】
本実施の形態にかかる排便装置１では、排泄物収納容器２０Ａの肛門受部１２２がジャバラ状に形成されており、その一部を他の部分よりも径の大きい拡径部１２４としている。この拡径部１２４には開閉蓋２５が収納されている。
【００７０】
図１０は、開位置にある開閉蓋２５を示す模式図である。図１１は、開閉蓋２５の動作を説明する図である。図１２は、閉位置にある開閉蓋２５を示す模式図である。図１３は、開閉蓋２５の動作を説明する図である。  
図１０に示すように開閉蓋２５は拡径部１２４内に完全に収納されている。また、図１１に示すように開閉蓋２５を開位置から閉位置に移動させるために拡径部１２４を四方から絞る二対の絞り板１２６，１２６および絞り板１２７，１２７が設けられている。
【００７１】
一対の絞り板１２６，１２６は、本体１０に装着された排泄物収納容器２０Ａを挟むように平行に配置されている。もう一対の絞り板１２７，１２７は、絞り板１２６，１２６が延びる方向と交差する方向に配置されており、本体１０に装着された排泄物収納容器２０Ａを挟むように平行になっている。絞り板１２６，１２６および絞り板１２７，１２７は、それぞれ板面が拡径部１２４に当接するように向けられている。
【００７２】
絞り板１２６，１２６は長手方向に不図示のスロットが形成されており、絞り板１２７，１２７には、絞り板１２６，１２６のスロットに挿通された不図示の狭幅部が形成されている。スロットおよび狭幅部は、絞り板１２６，１２６および絞り板１２７，１２７のそれぞれが図１３に示した状態から図１１に示した状態よりも開いた状態までの移動を可能にする範囲に形成されている。すなわち、絞り板１２６，１２６および絞り板１２７，１２７は、それぞれが図１１に示したように、排泄物収納容器２０Ａの拡径部１２４の周縁部に僅かに当接する位置よりも開いた位置まで移動することができ、また、図１３に示すように拡径部１２４を絞って、開閉蓋２５を閉位置に位置させることができる位置まで移動することができる。
【００７３】
次に第２の実施の形態の作用を説明する。  
第１の実施の形態の場合と同様に排泄物収納容器２０Ａを排便装置１の本体１０の座部１１に装着するために、絞り板１２６，１２６と絞り板１２７，１２７とは、図１１よりも互いに開いた状態にしておく。この状態で排泄物収納容器２０Ａを装着したら、絞り板１２６，１２６と絞り板１２７，１２７とを図１１に示した状態に移動させておくことが好ましい。装着した排泄物収納容器２０Ａは、ダイヤル４４を回転操作してローラ４１，４１によって排泄物収納容器２０Ａの胴体部の中間部を絞ってある程度潰しておく。
【００７４】
使用者Ｐが用便を済ませた後は、２つの絞り板１２６，１２６と絞り板１２７，１２７とを図１３に示した位置までスライドさせて開閉蓋２５を開位置から閉位置に移動させる。この後、ダイヤル４４を回転操作してローラ４１，４１を排泄物収納容器２０Ａから離れる位置に移動させて、前記のように排泄物収納容器２０Ａを内部に陰圧が発生した状態に密閉する。
【００７５】
次に、絞り板１２６，１２６と絞り板１２７，１２７とを図１１に示した状態よりも開くことによって排泄物収納容器２０Ａを排便装置１の本体１０から外すことができる。外した排泄物収納容器２０Ａは、第１の実施の形態について説明したようにして廃棄または再使用することができる。
【００７６】
本実施の形態においても、排泄物収納容器２０Ａ内部に収納された排泄物の臭気が排泄物収納容器２０Ａから漏れて外部環境に拡散することを防止でき、また、開閉蓋２５は、排泄物収納容器２０Ａ内に収納されているために脱落することがなく、紛失することがないので、排泄物収納容器２０Ａの耐用年数が来るまで再使用を続けることができる。
【００７７】
以上の排便装置１が備える容積変更手段４０を電動で動作するようにしてもよい。図１４は、容積変更手段４０に相当する電動の容積変更装置１４０を簡略して例示するブロック図である。この例では、座部１１に使用者が着座したか否かを検知するためのセンサーＳを備えている。このセンサーＳが座部１１への着座者の着座を検知すると、容積変更装置１４０が排泄物収納容器２０，２０Ａに陰圧が生じるように動作する。
【００７８】
容積変更装置１４０は、上記の容積変更手段４０と同様に構成された変更機構１４１と、この変更機構１４１を動作させるためのモーターＭとを備えている。変更機構１４１は、容積変更手段４０と同様のローラ４１、軸４２、歯車４５、ラック４７を備えており、さらに、２つの歯車４５にモーターＭの駆動力を伝達する歯車等の伝達機構（図示せず）を備えている。
【００７９】
上記のように、使用者が座部１１に着座する前は、排泄物収納容器２０，２０Ａはローラ４１，４１に挟まれてへこんでおり、容積が小さくされた状態にある。センサーＳが座部１１への着座者の着座を検知するとモーターＭが駆動する。モーターＭの駆動力は、伝達機構を介してローラ４１，４１同士を互いに遠ざかる方向に移動させる。これにより、排泄物収納容器２０，２０Ａは膨らんで、内部に陰圧が生じる。
【００８０】
なお、保持手段３０を電動にして、取込口２１を塞ぐ動作を開始させるためのボタン（不図示）を設けて、排便後に使用者のボタン操作に基づいて取込口２１を塞ぐようにしてもよい。
【００８１】
上記のセンサーＳは、例えば、圧力式センサーである。圧力式センサーは、座部１１に使用者が着座したことを座部１１にかかる圧力に基づいて検知する。また、センサーＳは、光電式センサーでもよい。光電式センサーは、発光部から座部１１の上方（着座者の存する箇所）に向けて光を照射し、受光部の受光した反射光の光量が所定のしきい値以上か否かに基づいて座部１１に使用者が着座したか否かを検知する反射光検知式と、座部１１の上方などの検知範囲を挟む両側に発光部と受光部とを分けて配置して、発光部からの光が受光部まで到達するかあるいは遮られるかによって座部１１に使用者が着座したか否かを検知する光線遮断検知式とがあるが、いずれの方式のものでもよい。
【図面の簡単な説明】
【００８２】
【図１】本発明の第１の実施の形態に係る排便装置において排泄物収納容器の容積を小さくしてある状態を示す背面図である。
【図２】本発明の第１の実施の形態に係る排便装置において排泄物収納容器の容積を小さくしてない状態を示す背面図である。
【図３】本発明の第１の実施の形態に係る排便装置の側面を示す側面図である。
【図４】本発明の第１の実施の形態に係る排便装置において、開閉蓋の動作を説明する説明図である。
【図５】図１の座部に形成された装着部に排泄物収納容器が装着された状態において、開閉蓋が開けられているときの装着部の部分拡大図である。
【図６】本発明の第１の実施の形態に係る排便装置において、開閉蓋を閉める動作を説明する説明図である。
【図７】図１の座部に形成された装着部に排泄物収納容器が装着された状態において、開閉蓋が閉められているときの装着部の部分拡大図である。
【図８】図４における、第１バンドを示す平面図である。
【図９】図４における、第２バンドを示す平面図である。
【図１０】本発明の第２の実施の形態に係る排便装置において、開位置にある開閉蓋を示す模式図である。
【図１１】本発明の第２の実施の形態に係る排便装置において、開閉蓋の動作を説明する説明図である。
【図１２】本発明の第２の実施の形態に係る排便装置において、閉位置にある開閉蓋を示す模式図である。
【図１３】本発明の第２の実施の形態に係る排便装置において、開閉蓋が絞り板によって閉められた状態を説明する説明図である。
【図１４】容積変更手段に相当する電動の容積変更装置を簡略して例示するブロック図である。
【符号の説明】
【００８３】
Ｍ…モーター
Ｐ…使用者
Ｓ…センサー
１…排便装置
１０…本体
１１…座部
１１ａ…着座面
１１ｂ…裏面
１２…装着部
１２ａ…貫通溝
１３…脚部
１３ａ…正面板
２０…排泄物収納容器
２０Ａ…排泄物収納容器
２１…取込口
２２…肛門受部
２２ａ…大径部分
２３…首部分
２４…拡径部
２５…開閉蓋
２６…第１バンド
２６ａ…中央部分
２６ｂ…長孔
２７…第２バンド
２７ａ…中央部分
２７ｂ…狭幅部分
２９…ピン
３０…保持手段
３１…保持板
３２…固定板
３３…ガイド溝
４０…容積変更手段
４１…ローラ
４２…軸
４４…ダイヤル
４５…歯車
４６…バー
４７…ラック
１２２…肛門受部
１２４…拡径部
１２６…絞り板
１２７…絞り板
１４０…容積変更装置
１４１…変更機構
【図１】
2006326154.tif 000003
【図２】
2006326154.tif 000004
【図３】
2006326154.tif 000005
【図４】
2006326154.tif 000006
【図５】
2006326154.tif 000007
【図６】
2006326154.tif 000008
【図７】
2006326154.tif 000009
【図８】
2006326154.tif 000010
【図９】
2006326154.tif 000011
【図１０】
2006326154.tif 000012
【図１１】
2006326154.tif 000013
【図１２】
2006326154.tif 000014
【図１３】
2006326154.tif 000015
【図１４】
2006326154.tif 000016